(57)【要約】【目的】従来は弾性体の外周面にシール突条を形成して外筒の内周面へ密着させることによりシールしているが、側壁の外周部に位置決め用の切り欠きを形成するとき、誤って切り欠きを深くし過ぎてシール突条に達するとシール性を損なう場合があるので、このような場合でもシール性を確保できるようにする。【構成】外筒２の内側へ嵌合するマウント本体１を、内筒３及び中間スリーブを弾性体４で一体化して形成する。マウント本体１の軸線方向両端に一対の側壁５を設け、その外周面全周にシール突条１５を形成する。また、側壁５の外周部に形成した位置決め用の切り欠き８に対応する位置に、シール突条１５の内側へ略コ字状をなす第２シール１６を形成する。【選択図】  図２
2005114139.tif 000002
【特許請求の範囲】
【請求項１】
内筒の周囲を外筒で囲み、これらの間に中間スリーブを埋設一体化するとともに内筒と外筒を各軸方向両端部で連結する一対の側壁を備えた弾性体を設け、この弾性体の内部に液室を設けた液封防振装置において、
前記中間スリーブは、一対のリング部と、これらを相互に連結する平板状をなす複数のステー部を有し、
前記弾性体は、前記側壁の外周面にシール突条を全周にわたってリング状に形成するとともに、
前記ステー部に相当する部分にて前記シール突条の内側へ張り出す第２シールを設け、さらに前記側壁の外周部でこの第２シールと対応する部分に位置決め用の切り欠きを設けたことを特徴とする液封防振装置。
【発明の詳細な説明】
【技術分野】
【０００１】
この発明はブッシュ型液封防振装置に係り、特に弾性体と外筒間におけるシールを確実にしたものに関する。
【背景技術】
【０００２】
ブッシュ型液封防振装置は公知であり、内筒の周囲を筒で囲み、これらの間に弾性体を設け、この弾性体の内部に液室を設けた液封防振装置において、
前記弾性体は、一対のリング部と、これらを相互に連結する複数のステー部を有する中間スリーブを埋設一体化するとともに、外周面にシール突条を全周にわたってリング状に形成した構造になっている。
【０００３】
【特許文献１】特公昭６３−３７６３号公報
【発明の開示】
【発明が解決しようとする課題】
【０００４】
ところで、外筒の軸方向端部に位置決め用の切り欠きを設ける場合があり、この位置決め用の切り欠きの設け方によってはシール突条との外筒の間におけるシールを不完全にするおそれがあった。そこでこのような場合でも、シールを確実にすることを目的とする。
【課題を解決するための手段】
【０００５】
上記課題を解決するため本願発明に係る液封防振装置は、内筒の周囲を外筒で囲み、これらの間に中間スリーブを埋設一体化するとともに内筒と外筒を各軸方向両端部で連結する一対の側壁を備えた弾性体を設け、この弾性体の内部に液室を設けた液封防振装置において、前記中間スリーブは、一対のリング部と、これらを相互に連結する平板状をなす複数のステー部を有し、前記弾性体は、前記側壁の外周面にシール突条を全周にわたってリング状に形成するとともに、前記ステー部に相当する部分にて前記シール突条の内側へ張り出す第２シールを設け、さらに前記側壁の外周部でこの第２シールと対応する部分に位置決め用の切り欠きを設けたことを特徴とする。
【発明の効果】
【０００６】
弾性体の側壁外周面に設けたリング状をなすシール突条を設け、さらに側壁の外周部側面に位置決め用の切り欠きを設けるとともに、シール突条のうち位置決め用の切り欠きと対応する位置に第２シールを内側へ設けた２重シール構造としたので、位置決め用の切り欠きをシール突条へ達するまでに深く形成した場合でも第２シールによりシールを確保
し、確実なシールを維持できる。
しかも、中間スリーブのステー部の上を利用して第２シールを設けることにより、第２シールを設けるスペースを容易に確保できる。
【発明を実施するための最良の形態】
【０００７】
以下、図面に基づいて一実施形態を説明する。図１は、実施例製品であるエンジンマウント用ブッシュ型液封防振装置の正面図であり、略円筒状をなすマウント本体１と外筒２を備え、マウント本体１を外筒２へ圧入等することにより一体化されている。外筒２は例えば車体（（図示省略）側へ圧入等適宜手段で取付けられている。
【０００８】
マウント本体１は内筒３と、その周囲に形成された弾性体４とを備える。弾性体４はゴム等の適宜防振用弾性材料からなり、マウント本体１の軸方向両端側に設けられる全体として略円筒状に成形された一対の側壁５を備える。６はすぐり穴であり、弾性体４をマウント本体１の軸方向へ貫通して、側壁５に開口している。符号７は側壁５の外周部に周方向等間隔に形成されたセット凹部であり、金型によって形成される。符号８は位置決め用の切り欠きであり、弾性体４を金型内で形成する型成形時における位置決め用として設けられる。
【０００９】
図２はマウント本体１の側面図である。この図において、内筒３の軸線方向における弾性体４の両端部は一対の側壁５をなし、これらの間には、主液室用凹部１０と副液室用凹部１１が形成され、側壁５と一体に形成されるアーム１２によって区画されている。アーム部１２の外周面１３には主液室用凹部１０と副液室用凹部１１をつなぐオリフィス溝１４が形成されている。
【００１０】
各側壁５の外周面はアーム部１２の外周面１３と連続して面一であり、その一部には
径方向外方へ突出するとともに全周にリング状をなすシール突条１５が一体成形されている。また、アーム部１２の外周面１３と連続する部分の側部には位置決め用の切り欠き８が内方へ食い込んで形成されている。
【００１１】
この切り欠き８の近傍において、シール突条１５の内側に略コ字状をなす第２シール
１６がアーム部１２の外周面１３へ入り込んでシール突条１５及びアーム部１２の外周面１３と一体に形成されている。第２シール１６の両端はシール突条１５へ接続して連続している。シール突条１５と第２シール１６の突出高さは同程度である。
【００１２】
図３は図２における３−３線断面図であり、弾性体４の内部には中間スリーブ１７が埋設一体化されている。アーム部１２は対をなして内筒３から径方向へ互いに逆方向かつ図の斜め下方へ延び、主液室２０と副液室２１を区画する。主液室２０と副液室２１の間にはオリフィス通路２２で連通される。これら主液室２０と副液室２１及びオリフィス通路２２は、主液室用凹部１０、副液室用凹部１１及びオリフィス溝１４と外筒２との間に形成され、非圧縮性液体で満たされる。なお、副液室２１は図の左右方向に分割され、かつすぐり６に臨む部分は伸縮自在の膜部であるダイアフラム部２３になっている。
【００１３】
図４は図２の４−４線相当断面図であり、弾性体４は側壁５の外周面及びアーム部１２の外周面１３と同一高さの連続する面をなして外筒２の内周面へ密接し、外周面１３の軸方向両端部である側壁５の外周面はシール突条１５をつぶして外筒２へ密着することにより密にシールされる。また、シール突条１５の内側に位置する第２シール１６も同様につぶされながら外筒２へ密着することにより密にシールされる。
【００１４】
図５は中間スリーブ１７の正面図、図６はその側面図である。中間スリーブ１７はアルミ合金等の金属や樹脂等の適宜材料よりなり、一対のリング部３５これらを軸線方向へつないで全体を一体化する複数のステー部３３とで構成される。
【００１５】
ステー部３３はリング部３５より一段低くなった段部として略平板状に形成され、その上がアーム部１２の外周面１３を支持する部分となり、そのうち一つのステー部３３の端部で位置決め用の切り欠き８と対応する位置に切り欠き部３８が形成されている。また、主液室用凹部１０及び副液室用凹部１１に対応する位置には、それぞれ窓穴３０，３１が形成されている。
【００１６】
中間スリーブ１７をインサートした状態で弾性体４を一体に形成すると、リング部３５は側壁５に埋設され、リング部３５の外周部上に側壁５の外周部及びシール突条１５が一体に形成される。また、図５における上方のステー部３３にはダイアフラム部２３の端部が一体化され、下方の対向する一対のステー３３部にはアーム部１２の外周面１３が一体化される。
【００１７】
次に、本実施例の作用を説明する。側壁５の外周面にシール突条１５と第２シール１６を設けた２重シール構造としたので、側壁５の外周部に位置決め用の切り欠き８を形成したとき、その深さがシール突条１５へ達するようなことがあっても、第２シール１６によりシールを保つことができる。しかも、ステー部３３を利用してその上に形成される外周面１３に第２シール１６を形成するスペースを確保することができる。
【図面の簡単な説明】
【００１８】
【図１】実施例に係るブッシュ型液封防振装置の正面図
【図２】本体部の側面図
【図３】図２の３−３線断面図
【図４】図２の４−４線断面図
【図５】中間スリーブの正面図
【図６】中間スリーブの側面図
【符号の説明】
【００１９】
１：マウント本体、２：外筒、３：内筒、４：弾性体、５：側壁、８：位置決め用の切り欠き、１２：アーム部、１３：外周面、１５：シール突条、１６：第２シール、１７：中間スリーブ、２０：主液室、２１：副液室、２３：オリフィス通略、３３：ステー部、３５：リング部、３８：切り欠き
【図１】
2005114139.tif 000003
【図２】
2005114139.tif 000004
【図３】
2005114139.tif 000005
【図４】
2005114139.tif 000006
【図５】
2005114139.tif 000007
【図６】
2005114139.tif 000008